(57)【要約】【課題】  金属電極のみを使用してパネルの開口率を良く改善しながら安定な放電が可能なプラズマディスプレイパネルを提供する。【解決手段】  本発明によるプラズマディスプレイパネルは、対向する第１基板及び第２基板と；前記第１基板と第２基板との間に形成されるアドレス電極と；前記第１基板と第２基板との間の空間に位置して複数の放電セルを区画する隔壁と；前記放電セル内に形成される蛍光体層と；前記第１基板と第２基板との間で前記アドレス電極と交差する方向に形成され、前記放電セル内で対向して放電ギャップを形成する第１電極及び第２電極とを含む。そして前記第１電極及び第２電極の各々は所定間隔離隔して配置される少なくとも３つ以上のライン部を含み、前記放電ギャップに隣接して配置される一対のライン部の間の第１ギャップと前記放電セルの周縁に隣接して配置される一対のライン部の間の第２ギャップの大きさが互いに異ならせて形成される。【選択図】  図２
2006004923.tif 000002
【特許請求の範囲】
【請求項１】
対向する第１基板及び第２基板と、
前記第１基板と第２基板との間に形成されるアドレス電極と、
前記第１基板と第２基板との間の空間に位置して複数の放電セルを区画する隔壁と、
前記放電セル内に形成される蛍光体層と、
前記第１基板と第２基板との間で前記アドレス電極と交差する方向に形成され、前記放電セル内で対向して放電ギャップを形成する第１電極及び第２電極と、を含み、
前記第１電極及び第２電極の各々は、所定間隔離隔して配置される少なくとも３つ以上のライン部を含み、前記放電セルの周縁に隣接して配置される一対のライン部の間の第１ギャップと前記放電ギャップに隣接して配置される一対のライン部の間の第２ギャップとの大きさを互いに異ならせて形成されることを特徴とするプラズマディスプレイパネル。
【請求項２】
前記第２ギャップが前記第１ギャップよりもさらに大きく形成されることを特徴とする請求項１に記載のプラズマディスプレイパネル。
【請求項３】
前記第１電極及び第２電極の各々は、
前記放電セルの周縁に隣接して配置される第１ライン部と、
前記放電ギャップを形成するように配置される第２ライン部と、
前記第１ライン部と第２ライン部との間に配置される第３ライン部と、を含み、
前記第１ライン部から前記第３ライン部を横切って前記第２ライン部まで連結する連結部をさらに含むことを特徴とする請求項１に記載のプラズマディスプレイパネル。
【請求項４】
前記連結部は前記放電セルの幅方向中心を通るように形成されることを特徴とする請求項３に記載のプラズマディスプレイパネル。
【請求項５】
前記連結部と前記第２ライン部とが会う交点で前記第３ライン部に向かって突出形成される拡張部をさらに含むことを特徴とする請求項３に記載のプラズマディスプレイパネル。
【請求項６】
前記拡張部はラウンド形または角形に形成されることを特徴とする請求項５に記載のプラズマディスプレイパネル。
【請求項７】
前記第１乃至第３ライン部が互いに平行に形成されることを特徴とする請求項３に記載のプラズマディスプレイパネル。
【請求項８】
前記第１電極と第２電極とは各放電セル内で対向し、互いに異なる大きさの第１放電ギャップと第２放電ギャップとを形成することを特徴とする請求項３に記載のプラズマディスプレイパネル。
【請求項９】
前記第２ライン部と連結部とが会う交点で前記第１放電ギャップよりも大きい第２放電ギャップが形成されることを特徴とする請求項８に記載のプラズマディスプレイパネル。
【請求項１０】
前記第１電極及び第２電極は金属電極で形成されることを特徴とする請求項１に記載のプラズマディスプレイパネル。
【請求項１１】
対向する第１基板及び第２基板と、
前記第１基板と第２基板との間に形成されるアドレス電極と、
前記第１基板と第２基板との間の空間に位置して複数の放電セルを区画する隔壁と、
前記放電セル内に形成される蛍光体層と、
前記第１基板と第２基板との間で前記アドレス電極と交差する方向に形成され、前記放電セル内で対向して放電ギャップを形成する第１電極及び第２電極と、を含み、
前記第１電極及び第２電極の各々は、所定間隔離隔して配置される少なくとも一対のライン部と、前記一対のライン部を連結する連結部と、を含み、
前記連結部と前記ライン部とが会う交点から突き出される拡張部を含むことを特徴とするプラズマディスプレイパネル。
【請求項１２】
前記第１電極及び第２電極の各々は、
前記放電セルの周縁に隣接して配置される第１ライン部と、
前記放電セルの中心側に隣接して配置される第２ライン部と、を含み、
前記拡張部は前記第２ライン部から前記第１ライン部に向かって突出形成されることを特徴とする請求項１１に記載のプラズマディスプレイパネル。
【請求項１３】
前記拡張部はラウンド形または角形に形成されることを特徴とする請求項１１に記載のプラズマディスプレイパネル。
【請求項１４】
対向する第１基板及び第２基板と、
前記第１基板と第２基板との間に形成されるアドレス電極と、
前記第１基板と第２基板との間の空間に位置して複数の放電セルを区画する隔壁と、
前記放電セル内に形成される蛍光体層と、
前記第１基板と第２基板との間で前記アドレス電極と交差する方向に形成され、前記放電セル内で対向して互いに異なる大きさの第１放電ギャップと第２放電ギャップとを形成する第１電極及び第２電極と、を含み、
前記第１電極及び第２電極の各々は、所定間隔離隔して配置される少なくとも３つのライン部を含み、前記放電セルの中心に隣接して配置される一対のライン部の間の第１ギャップと前記放電セルの周縁に隣接して配置される一対のライン部の間の第２ギャップとの大きさが互いに異ならせて形成されることを特徴とするプラズマディスプレイパネル。
【請求項１５】
前記第１放電ギャップよりも大きい第２放電ギャップは前記放電セルの中心を通るように形成されることを特徴とする請求項１４に記載のプラズマディスプレイパネル。
【発明の詳細な説明】
【技術分野】
【０００１】
本発明はプラズマディスプレイパネルに関し、より詳しくは電極構造を改善して輝度を向上させることができるプラズマディスプレイパネルに関するものである。
【背景技術】
【０００２】
プラズマディスプレイパネル（以下、‘パネル’と言う）は一対のガラス基板の間に放電セルと、前記放電セルに対応して形成される一対の維持電極とを配置し、プラズマ放電過程で発生する紫外線で各色相別蛍光体を励起させて画像を表示するディスプレイである。
【０００３】
この時、基板から放射される光を遮断しないために前記表示電極は透明電極で形成されるのが一般的である。しかし、透明電極自体は抵抗が高いので、その導電性を補完するために金属電極を透明電極と組合せて表示電極を形成する。
【０００４】
この時、透明電極はＩＴＯ（インジウムスズ酸化物）やSnO２のような物質で製作され、金属電極はAg、Cr/Cu/Crの３層に形成される薄膜やAl/Crの２層構造の薄膜が使用される。
【０００５】
このような従来の電極構造は金属電極をフォトエッチング法、リフトオフ法でガラス基板上に形成し、次の工程として透明電極をエッチング法、リフトオフ法で形成する。
【０００６】
したがって、その作業工程が非常に複雑であるという短所があり、そのためにパネルの製造原価を上昇させる問題がある。また、透明電極自体が高価であるため、これもまた製造原価を上昇させる。
【０００７】
そのために、透明電極を使用せずに金属電極のみで表示電極を形成しようとする努力が進められており、これと関連した先行技術の一つとして以下の特許文献に開示された“プラズマディスプレイパネル”がある。
【特許文献１】米国特許第６，５２２，０７２号明細書
【０００８】
前記特許文献によれば、上述した電極構造に比べて製造原価を下げることができる長所がある。しかし、このように金属電極のみで形成された表示電極はパネルの開口率を低下させて輝度が低くなる問題がある。
【０００９】
このような問題を解決する一つの代案として、放電ギャップを間に置いて位置する二つの金属電極の間の距離を遠くする方案を考慮することができるが、これは放電電圧を高めて放電が不安定になる問題点が生じるためこれに対する改善が要求されている。
【００１０】
一方、図６はパネルで一つの放電セルに対する輝度の分布を示す図面であるが、これによれば次のような特徴があることが分かる。
【００１１】
図面は表示電極１０１及び隔壁２０１のみを選択的に示しており、表示電極を延長して図面を基準に縦には電極による輝度分布を示すグラフを示し、横には隔壁による輝度分布を示した。図面によれば、放電ギャップ（W）を中心にして輝度曲線がガウシアン分布を示すことが分かる。つまり、放電ギャップ周囲の放電強さが他の領域に比べて相対的に大きいという事実が分かる。
【発明の開示】
【発明が解決しようとする課題】
【００１２】
本発明の目的は、金属電極のみを使用してパネルの開口率を良く改善しながら安定な放電が可能なプラズマディスプレイパネルを提供することにある。
【課題を解決するための手段】
【００１３】
本発明の一側面によるプラズマディスプレイパネルは、対向する第１基板及び第２基板と；前記第１基板と第２基板との間に形成されるアドレス電極と；前記第１基板と第２基板との間の空間に位置して複数の放電セルを区画する隔壁と；前記放電セル内に形成される蛍光体層と；前記第１基板と第２基板との間で前記アドレス電極と交差する方向に形成され、前記放電セル内で対向して放電ギャップを形成する第１電極及び第２電極と；を含む。そして前記第１電極及び第２電極の各々は所定間隔離隔して配置される少なくとも３つ以上のライン部を含み、前記放電ギャップに隣接して配置される一対のライン部の間の第１ギャップと前記放電セルの周縁に隣接して配置される一対のライン部の間の第２ギャップとの大きさが互いに異ならせて形成される。
【００１４】
この時、前記第１ギャップが前記第２ギャップよりもさらに大きく形成されることができる。
【００１５】
前記第１電極及び第２電極の各々は、前記放電セルの周縁に隣接して配置される第１ライン部と、前記放電ギャップを形成するように配置される第２ライン部と、前記第１ライン部と第２ライン部との間に配置される第３ライン部と、を含み、前記第１ライン部から前記第３ライン部を横切って前記第２ライン部まで連結する連結部をさらに含むことができる。
【００１６】
前記連結部は前記放電セルの幅方向中心を通るように形成することができ、前記連結部と前記第２ライン部とが会う交点で前記第３ライン部に向かって突出形成される拡張部をさらに含むことができる。前記拡張部はラウンド形または角形に形成することができる。
【００１７】
前記第１乃至第３ライン部は互いに平行に形成することが好ましい。
【００１８】
前記第１電極と第２電極とは各放電セル内で対向し、互いに異なる大きさの第１放電ギャップと第２放電ギャップとを形成することができる。前記第２ライン部と連結部とが会う交点で前記第１放電ギャップよりも大きい第２放電ギャップが形成されることができる。
【００１９】
前記第１電極及び第２電極は金属電極で形成されるのが好ましい。
【００２０】
本発明の他の一側面によるプラズマディスプレイパネルは、前記第１電極及び第２電極の各々が、所定間隔離隔して配置される少なくとも一対のライン部と、前記一対のライン部を連結する連結部とを含み、前記連結部と前記ライン部とが会う交点から突き出される拡張部を含む。
【００２１】
前記第１電極及び第２電極の各々は、前記放電セルの周縁に隣接して配置される第１ライン部、及び前記放電セルの中心側に隣接して配置される第２ライン部を含み、前記拡張部は前記第２ライン部から前記第１ライン部に向かって突出形成されるのが好ましい。
【００２２】
本発明の他の一側面によるプラズマディスプレイパネルは、前記第１基板と第２基板との間で前記アドレス電極と交差する方向に形成され、前記放電セル内で対向して互いに異なる大きさの第１放電ギャップと第２放電ギャップとを形成する第１電極及び第２電極を含み、前記第１電極及び第２電極の各々は所定間隔離隔して配置される少なくとも３つのライン部を含み、前記放電セルの中心に隣接して配置される一対のライン部の間の第１ギャップと、前記放電セルの周縁に隣接して配置される一対のライン部の間の第２ギャップとの大きさが互いに異ならせて形成される。
【００２３】
この時、前記第１放電ギャップよりも大きい第２放電ギャップは前記放電セルの中心を通るように形成されるのが好ましい。
【発明の効果】
【００２４】
本発明によれば、従来の透明電極を有するパネルと比べて製造原価を節減することができ、維持放電の強さが強化されて維持放電に必要な駆動電圧を下げることができる。また、本発明によるプラズマディスプレイパネルは輝度が集中される放電ギャップ周辺を電極が覆う程度を最少化することができ、相対的にパネルの輝度を改善する効果がある。さらに、従来と比較して電極中の放電ギャップ周辺に配置される一対のライン部の間の間隔を広げて輝度をさらに改善することができ、安定的な放電の拡散が起こるようにする長所がある。
【発明を実施するための最良の形態】
【００２５】
以下、添付した図面を参照して本発明の好ましい実施例について当業者が容易に実施できるように詳細に説明する。しかし、本発明は多様で相異なる形態に実現することができ、ここで説明する実施例に限られるわけではない。
【００２６】
図１は本発明の第１実施例によるプラズマディスプレイパネルを部分的に示した分解斜視図である。図１に示すように、本実施例によるプラズマディスプレイパネル（以下、‘パネル’と言う）は一対のガラス基板２、４が任意の間隔をおいて互いに対向配置され、両基板の間の空間には隔壁１２によって形成される色相別放電セル８R、８G、８Bが備えられる。この時、アドレス電極１１は放電セル８R、８G、８Bの幅方向（図面のx軸方向）中心に沿って隣接したアドレス電極と一定の間隔を置いて平行に位置することが好ましい。
【００２７】
ガラス基板２の内面には図面のy軸方向に沿ってアドレス電極１１が形成され、アドレス電極１１を覆いながらガラス２の内面全体に誘電体層１０が形成される。
【００２８】
前記誘電体層１０上には隔壁１２が形成されており、この隔壁１２の側面と誘電体層１０にわたって赤、緑、青色の蛍光体層１４R、１４G、１４Bが形成される。この時、隔壁１２は各々のアドレス電極１１の間に配置される。
【００２９】
また、図１ではこの隔壁１２が図面のx軸方向に沿って形成されている第１隔壁部材１２aと、y軸方向に沿って形成されている第２隔壁部材１２bとによって放電セル８R、８G、８Bがマトリクス形状に配置された構造について例示しているが、これに限定される必要はない。一例として、放電セルが互いに平行な第２隔壁部材１２bのみで形成される帯状や、放電セルが三角形配列をしているデルタ形構造のようなものが適用できる。
【００３０】
そして、ガラス基板２に対向するガラス基板４にはアドレス電極１１と直交する方向（図面のx軸方向）に沿ってスキャン電極１６と維持電極１８とで構成される表示電極２０が形成され、この表示電極２０を覆いながらガラス基板４の内面全体に誘電体層２２とMgO保護膜２４とが位置する。
【００３１】
本実施例において、前記表示電極２０は金属の導電性物質のみで形成されて各々が所定間隔離隔して配置される少なくとも３つのライン部を含む。本実施例による電極構造については図２を参照して以下で詳細に説明する。
【００３２】
一方、アドレス電極１１とこの表示電極２０とが交差する部分に対応して放電セル８R、８G、８Bが配置され、前記放電セルの内部はプラズマ放電で紫外線放出を誘導する放電ガス（主にNe-Xe混合ガス）で充填される。
【００３３】
このような構成を基本として本実施例のパネルは、表示電極２０の間でリセット放電を起こし放電セル内部の電荷状態をリセットする。そして、アドレス電極１１とスキャン電極１６との間にアドレス電圧が印加され壁電荷を形成し、これによって画像が表現される放電セルが選択される。このように放電セルを選択した後には表示電極に相互交互に放電維持パルスを印加することによって画像を表示する。
【００３４】
以下、本実施例による電極構造について説明するが、本実施例の表示電極２０は透明電極を使用せず、金属電極のみで形成される。
【００３５】
図２は本発明の第１実施例によるプラズマディスプレイパネルの隔壁と電極の配置関係を示す平面図である。図２ではマトリクスタイプの隔壁を例示しているが、本発明がこれに限られるわけではない。
【００３６】
図２に示すように、本実施例の表示電極２０を構成するスキャン電極１６及び維持電極１８は前記アドレス電極１１と交差する方向に形成され、各放電セル８内で対向して放電ギャップGを形成する。前記スキャン電極１６及び維持電極１８各々は放電セル８の周縁に隣接して配置される第１ライン部１６１、１８１と、前記放電ギャップGを形成するように配置される第２ライン部１６２、１８２と、前記第１ライン部１６１、１８１と第２ライン部１６２、１８２との間に配置される第３ライン部１６３、１８３と、を含む。
【００３７】
前記第２ライン部１８２、１８２は放電セル８内部で互いに対向して放電ギャップGを形成し、各電極に印加される電圧パルスによって放電初期の対向放電を形成する。
【００３８】
また、第３ライン部１６３、１８３は各電極の第２ライン部１６２、１８２の間で誘導された初期放電を放電セル８の周縁まで誘導する役割を果たす。つまり、放電を誘導する電場は距離に反比例する値であるために、第１ライン部１６１、１８１及び第２ライン部の間の距離が遠すぎれば放電ギャップGの間で始まった初期放電が拡散しない。したがって、本実施例では第１ライン部１６１、１８１及び第２ライン部１６２、１８２の間に第３ライン部１６３、１８３を配置することによって電極間の間隔、つまり、第１ライン部１６１、１８１と第３ライン部１６３、１８３との間の間隔を減らして放電を容易に拡散させる。
【００３９】
一方、本実施例で前記第１ライン部１６１と前記第３ライン部１６３との間の第１ギャップP１よりも前記第２ライン部１６２と前記第３ライン部１６３との間の第２ギャップP２がさらに大きく形成される。放電セル８の中心付近で強い放電が発生することを考慮する時、放電セル８中心に近い領域の開口率を高めることによって不透明の金属電極配置による輝度低下を防止することができる。
【００４０】
つまり、図６を通じて上述したように、発光輝度は放電ギャップ周辺が最も強い分布を示すが、この領域に配置される第２ライン部１６２、１８２及び第３ライン部１６３、１８３の間のギャップを大きく形成することによって放電セル内部で発生する光が不透明な金属電極に覆われずそのままパネル外部に放射できるようにする。
【００４１】
図３は本発明の第２実施例によるプラズマディスプレイパネルの隔壁と電極を示した平面図である。
【００４２】
本実施例によるプラズマディスプレイパネルでも、表示電極を構成するスキャン電極２６と維持電極２８とは各々所定間隔離隔して配置され、互いに平行に形成される第１ライン部２６１、２８１、第２ライン部２６２、２８２、及び第３ライン部２６３、２８３を含む。
【００４３】
また、本実施例では放電セル内部で第１ライン部２６１、２８１から前記第３ライン部２６３、２８３を横切って前記第２ライン部２６２、２８２まで連結する連結部２６４、２８４がさらに備えられる。
【００４４】
この時、前記連結部２６４、２８４は放電セル８の幅方向（図面のx軸方向）中心線に沿って位置し幾何学的に放電のばらつきが放電セル全体に対して均一に行われるようにする。このような連結部２６４、２８４は前記第１乃至第３ライン部と同一物質で形成することができ、各放電セル８ごとに備えられるのが好ましい。
【００４５】
このように各ライン部を連結する連結部２６４、２８４を配置することで放電時に電荷がこの連結部２６４、２８４に沿って移動しながら各電極の第２ライン部２６２、２８２の間の放電ギャップGで形成された初期放電が第１ライン部２６１、２８１に拡張し放電経路の長い放電を容易に形成できるように作用する。
【００４６】
そして、このような連結部２６４、２８４を形成することによって、ある一つのライン部で断線が発生しても他のライン部が断線した電極の役割を補償するので、パネルの電極断線による不良が発生しても発光効率及び輝度がそのまま維持できる長所がある。
【００４７】
本実施例でスキャン電極２６と維持電極２８との間に形成される放電ギャップは相対的に短い距離の第１放電ギャップG１と第１放電ギャップG１よりも大きい第２放電ギャップG２とで構成される。特に、前記第２放電ギャップG２は連結部２６３、２８３と第２ライン部２６２、２８２とが会う交差点Sに形成されるのが好ましいが、第１放電ギャップG１で始まった放電を連結部２６３、２８３を通じて第１ライン部２６１、２８１の間で起こるロングギャップ放電に容易に拡散させるためである。
【００４８】
前記第２放電ギャップG２を形成する一つの方法として、図３に示すように交差点Sに互いに対向する凹部２６５、２８５を形成することができる。
【００４９】
一方、本実施例でも前記第１ライン部２６１と前記第３ライン部２６３との間の第１ギャップP１よりも前記第２ライン部１６２と前記第３ライン部１６３との間の第２ギャップP２をさらに大きく形成することができる。
【００５０】
図４は本発明の第３実施例によるプラズマディスプレイパネルの隔壁と電極を示した平面図であり、図５は本発明の第３実施例によるプラズマディスプレイパネルの変形例を示した平面図である。
【００５１】
本実施例によるプラズマディスプレイパネルでも、表示電極を構成するスキャン電極３６と維持電極３８とは各々所定間隔離隔して配置され、互いに平行に形成される第１ライン部３６１、３８１、第２ライン部３６２、３８２、及び第３ライン部３６３、３８３を含む。
【００５２】
また、本実施例において、スキャン電極３６及び維持電極３８の各々は前記第２ライン部３６２、３８２と連結部３６４、３８４とが会う交点から突き出される拡張部３６７、３８７をさらに備えることによって放電の拡散をさらに容易に行うことができ、これによって第２ライン部３６２、３８２と第３ライン部３６３、３８３との間の間隔を広げてパネルの輝度をさらに向上させることができる。
【００５３】
つまり、本実施例のスキャン電極３６及び維持電極３８の各々は第２ライン部３６２、３８２と連結部３６５、３８５との交差点で電極の面積を第１ライン部３６１、３８１に向かって突出させた形態に拡張部３６７、３８７が形成される。これにより、第２ライン部３６２、３８２の間で初期放電が行われれば、電荷は第２ライン部３６２、３８２及び第２ライン部３６２、３８２と連結部３６４、３８４との交差点を中心に積層されるが、この時、拡張部３６７、３８７によって交差点に相対的に多くの電荷が集まる。また、前記拡張部３６７、３８７が連結部３６４、３８４周辺で第３ライン部３６３、３８３に向かって突き出された形状を持っているために、第２ライン部３６２、３８２及び第３ライン部３６３、３８３の間のギャップが減った効果を得ることができる。したがって、第２ライン部３６２、３８２で形成された初期放電が第３及び第１ライン部に向かって容易に拡散することができる。
【００５４】
実験的に４０インチプラズマディスプレイパネルにおいて、放電セル８の縦ピッチは約１，１１０μmで、放電ギャップ９０μmに対して第２ライン部と第３ライン部との間のギャップは１１０μm〜１２０μmである時に最も安定的に放電が拡散する。しかし、本実施例によれば、第２ライン部と第３ライン部との間のギャップを１４０μm〜１５０μmまで拡張することができるので、放電ギャップ周辺で放電によって生成された光を遮蔽しないためにその分パネルの輝度を改善することができる。
【００５５】
このような拡張部３６７、３８７は図４に示したように角形に形成することができ、図５に示した変形例のようにラウンド形の拡張部３６７’、３８７’になることもできる。
【００５６】
以上のように、本発明を限定された実施例と図面によって説明したが、本発明はこれによって限定されず、本発明の属する技術分野における通常の知識を有する者によって本発明の技術思想及び特許請求の範囲の均等範囲内で多様な修正及び変形が可能であることは当然である。
【図面の簡単な説明】
【００５７】
【図１】本発明の第１実施例によるプラズマディスプレイパネルを部分的に示した分解斜視図である。
【図２】本発明の第１実施例によるプラズマディスプレイパネルの隔壁と電極の配置関係を示す平面図である。
【図３】本発明の第２実施例によるプラズマディスプレイパネルの隔壁と電極を示した平面図である。
【図４】本発明の第３実施例によるプラズマディスプレイパネルの隔壁と電極を示した平面図である。
【図５】本発明の第３実施例によるプラズマディスプレイパネルの変形例を示した平面図である。
【図６】放電セルでの位置に応じた輝度分布を示す図面である。
【符号の説明】
【００５８】
２  ガラス基板
４  ガラス基板
８  放電セル
１０、２２  誘電体層
１１  アドレス電極
１２、２０１  隔壁
１２a  第１隔壁部材
１２b  第２隔壁部材
１６、２６  スキャン電極
１８、２８、３８  維持電極
２０  表示電極
３６  スキャン電極
１０１  表示電極
１６１、１８１、２６２、２８１、３６１、３８１  第１ライン部
１６２、１８２、２６２、２８２、３６２、３８２  第２ライン部
１６３、１８３、２６３、２８３、３６３、３８３  第３ライン部
２６４、２８４、３６４、３８４  連結部
２６５、２８５  凹部
３６７、３８７、３６７’、３８７’  拡張部
８R、８G、８B  放電セル
１４R、１４G、１４B  蛍光体層
G、W  放電ギャップ
P１  第１ギャップ
P２  第２ギャップ
S  交差点
【図１】
2006004923.tif 000003
【図２】
2006004923.tif 000004
【図３】
2006004923.tif 000005
【図４】
2006004923.tif 000006
【図５】
2006004923.tif 000007
【図６】
2006004923.tif 000008